(57)【要約】【目的】  スクリューシャフトに巻き付いた状態で搬送されてきた紙おしぼり等をほどき、回収容器内に落下収納していくことが可能な吸い殻自動回収装置を提供すること。【構成】  上記改課題を解決するために請求項１記載の発明は、スクリューコンベアの排出側端部に、搬送方向が他のスクリュー羽根と逆方向であるスクリュー羽根を設けた。又請求項２記載の発明においては、スクリュー羽根の搬送側端部及び逆方向に搬送するスクリュー羽根の搬送側端部を湾曲形状とした。更に請求項３記載の発明においては、搬送方向が逆方向のスクリュー羽根の当該スクリュー羽根の搬送方向の反対側に隣接して円盤を設けた。【選択図】    図１
2007044294.tif 000002
【特許請求の範囲】
【請求項１】
吸い殻を落下させるための孔部を有し各遊技機台に対応してそれぞれ配設された複数の灰皿と、これらの灰皿の吸い殻落下通路の下方に配設されたスクリューコンベアと、該スクリューコンベアにより搬送された吸い殻を回収する回収容器とにより成る吸い殻自動回収装置において、スクリューコンベア１０の排出側端部に、搬送方向が他のスクリュー羽根１０ａと逆方向であるスクリュー羽根１０ｂを設けたことを特徴とする吸い殻自動回収装置。
【請求項２】
スクリュー羽根１０ａの搬送側端部及びスクリュー羽根１０ｂの搬送側端部を湾曲形状としたことを特徴とする請求項１記載の吸い殻自動回収装置。
【請求項３】
搬送方向が逆方向のスクリュー羽根１０ｂの、当該スクリュー羽根１０ｂの搬送方向の反対側に隣接して円盤１１を設けた請求項１又は２に記載の吸い殻自動回収装置。
【発明の詳細な説明】
【技術分野】
【０００１】
本発明はパチンコ店に設置される吸い殻自動回収装置に関する。
【背景技術】
【０００２】
パチンコ店においては従業員の労力軽減等のため、スクリューコンベアを用いた吸い殻自動回収装置を設置することがある。
【０００３】
係る吸い殻自動回収装置の構造を図５乃至図７を参照しながら述べる。ここに図５はスクリューコンベアを用いた吸い殻自動回収装置を設けた遊技機群の斜視図であり、図６及び図７はテーブルとスクリューコンベアの関係を示す説明図である。
【０００４】
パチンコ機やスロットマシーン機といった遊技機を複数連設して構成される遊技機群１前方のテーブル２に、貫通孔たる吸い殻落下通路３を設ける。この落下通路３には灰皿４が嵌め込んである。この灰皿４には底部に吸い殻を通すことが可能な径を有する孔部４ａが設けてある。
【０００５】
又テーブル２の下部にはケーシング５内に収容されたスクリューコンベア６が配設されてあり、孔部４ａから落下した吸い殻を搬送し、回収箱に回収していくものである。
【０００６】
又スクリューコンベアを用いた吸い殻自動回収装置に関する特許文献としては特開平９−３８３３０号公報や特開平１０−３３８２６号公報がある。
【特許文献１】特開平９−３８３３０号公報
【特許文献２】特開平１０−３３８２６号公報
【発明の開示】
【発明が解決しようとする課題】
【０００７】
パチンコ店においてはサービスとして紙おしぼりや布おしぼりが提供されることがある。ところが遊技者がまれにこの紙おしぼりや紙おしぼりを収納するビニル袋、布おしぼり等を、前述の灰皿４に設けた孔部４ａからケーシング５内に押し込むことがある。ケーシング５内に落下した紙おしぼり等はスクリューコンベア６により回収容器に向けて搬送されていくが、紙おしぼり等は細長い形状を有するがゆえにスクリューシャフト６ｂに巻き付いた形状で搬送されていくことがある。
【０００８】
かようにスクリューシャフト６ｂに巻き付いた紙おしぼり８等は、図８に示すように端縁のスクリュー羽根６ａ付近でスクリューシャフト６ｂに巻き付いたまま回収容器７内に落下していかないことことがある。端縁のスクリュー羽根６ａに続くスクリュー羽根が存在しないことから、紙おしぼり８等がそれ以上搬送されず、又スクリューシャフト６ｂに巻き付いていることから落下もしないのである。
【０００９】
かような状態に至ると搬送されてきた吸い殻が詰まり、当該箇所から煙が発生するなど遊技者に不安感を与えることになり、又最悪の場合火災の原因にもなりかねない。
【００１０】
そこで本発明はスクリューシャフトに巻き付いた状態で搬送されてきた紙おしぼり等をほどき、回収容器内に落下収納していくことが可能な吸い殻自動回収装置を提供することを目的とする。
【課題を解決するための手段】
【００１１】
上記改課題を解決するために請求項１記載の発明は従来の吸い殻自動回収装置、すなわち吸い殻を落下させるための孔部を有し各遊技機台に対応してそれぞれ配設された複数の灰皿と、これらの灰皿の吸い殻落下通路の下方に配設されたスクリューコンベアと、該スクリューコンベアにより搬送された吸い殻を回収する回収容器とにより成る吸い殻自動回収装置において、スクリューコンベアの排出側端部に、搬送方向が他のスクリュー羽根と逆方向であるスクリュー羽根を設けた。
【００１２】
又請求項２記載の発明においては、スクリュー羽根の搬送側端部及び搬送方向が逆方向であるスクリュー羽根の当該スクリュー羽根の搬送側端部を湾曲形状とした。
【００１３】
更に請求項３記載の発明においては、搬送方向が逆方向のスクリュー羽根の当該スクリュー羽根の搬送方向の反対側に隣接して円盤を設けた。
【発明の効果】
【００１４】
以下、上述のように構成される本発明が如何にして課題を解決する作用を有するかを図面を参照しながら述べる。
【００１５】
図１は本発明の概略構成図であり、図２は紙おしぼりをほどいていく状態を示す説明図であり、図３は本発明に係るスクリュー部材を示す斜視図であり、図４ａはスクリュー部材の端部付近を示す正面図であり、図４ｂは同右側面図である。
【００１６】
本発明に係る吸い殻自動回収装置においては、図１に示すようにスクリューコンベア１０の排出側端部に搬送方向が他のスクリュー羽根１０ａと逆方向であるスクリュー羽根１０ｂが設けてある。このスクリュー羽根１０ｂにより図２に示すようにスクリューシャフト１０ｃに巻き付いた紙おしぼり８等をほどき、回収容器７内に落下収納していくのである。
【００１７】
すなわちスクリュー羽根１０ｂは他のスクリュー羽根１０ａの逆羽根であることから、紙おしぼり８はスクリュー羽根１０ｂまで搬送されてくるとその端縁から順次スクリューシャフト１０ｃからほどけていき、収納容器７内に落下していくのである。
【００１８】
又請求項２記載の発明においては図３に示すように、スクリュー羽根１０ａの搬送側端部Ａ及びスクリュー羽根１０ｂの搬送側端部Ｂを湾曲形状としてある。スクリュー羽根の端部Ｃは通常図４ａに示すようにスクリューシャフト１０ｃから立ち上がった壁面状をなすが、図４ｂに示される仮想線Ｄにおいて切削することで湾曲形状となし、搬送側端部Ａ及び搬送側端部Ｂを形成するのである。
【００１９】
かように湾曲形状となすことで搬送されてきた紙おしぼり８等がスクリュー羽根の端部にひっかかり詰まってしまうことを防止するのである。
【００２０】
更に請求項３記載の発明においては、スクリュー羽根１０ｂに隣接して円盤１１が設けてある。この円盤１１は紙おしぼり８がスクリュー羽根１０ｂを越えスクリューシャフト１０ｃと駆動シャフト１３側に搬送され、駆動シャフト１３付近に詰まってしまうことを防止するために設けられるのである。
【００２１】
以上のように本発明によればスクリューシャフトに巻き付いた状態で搬送されてきた紙おしぼり等をほどき、回収容器内に落下収納していくことが可能な吸い殻自動回収装置を提供することが可能となるのである。
【発明を実施するための最良の形態】
【００２２】
以下、好ましい発明の実施形態につき図面を参照しながら述べる。尚、従来技術と同様の部分については従来技術の図面、符号を用いて解説する場合もあるものとする。
【００２３】
本発明に係る吸い殻自動回収装置は、図５に示されるような通常島と呼ばれる遊技機群1の前方に設けられたテーブル２の下部に配設されるものである。テーブル２には各遊技機に対応して灰皿４が複数設けられている。又テーブル２の下部にはスクリューコンベアを収納するためのケーシング５が取り付けられている。
【００２４】
テーブル２には図２に示すように貫通孔たる吸い殻落下通路３が設けられており、灰皿４が嵌め込まれている。該灰皿４の底部には吸い殻を通すことが可能な大きさの孔部4ａが設けられている。吸い殻は孔部４aからケーシング５内に落下していくものである。
【００２５】
ケーシング５は図７に示すようにスクリュー羽根の外周より若干大きめの断面が円弧形状をなす部分を有する筒状体であり、取り付けフランジ５ａによりテーブル２の下面に固定されるものである。図１に示すようにケーシング５の開口縁部側には吸い殻等を回収するための回収容器７が設置されている。
【００２６】
ケーシング５内に配設されたスクリューコンベア１０はスクリューシャフト１０ｃにスクリュー羽根１０ａ、１０ｂを設けてなるものである。スクリューシャフト１０ｃの一方端部は支持部材による支持がなされておらずフリーの状態になっている。他方端部は駆動シャフト１３と連結されている。駆動シャフト１３はモータ１２を構成するモータ軸１２ａにより回転駆動されるものであり、これによりスクリューコンベア１０は回転するものである。
【００２７】
スクリューシャフト１０ｃには吸い殻等を回収容器７側に搬送可能なスクリュー羽根１０ａと、逆方向に搬送するスクリュー羽根１０ｂとが設けてある。スクリュー羽根１０ｂはスクリューコンベア１０の排出側端部に設けるものである。
【００２８】
更にスクリュー羽根１０ｂの、当該スクリュー羽根１０ｂの搬送側と反対側、すなわち吸い殻を搬送していく側（図１における右側）には、円盤１１が隣接して設けてある。
【００２９】
円盤１１は図１においては駆動シャフト１３に設けてあるが、スクリューシャフト１０ｃに設けてもかまわない。
【００３０】
本発明に用いることが可能なスクリューコンベアとしては図９に示す態様のものもある。
【００３１】
すなわち図９に示されるスクリューコンベア１４は、外周に半周分にわたりスクリュー羽根１４ａを設けた筒状体１４ｄと、残りの半周分のスクリュー羽根１４ｂを設けた筒状体１４ｅと、棒状体であるスクリューシャフト１４ｃとで構成されるものである。
【００３２】
ここに筒状体１４ｄと筒状体１４ｅとを連結すると、スクリュー羽根１４ａとスクリュー羽根１４ｂとがつながり、１周分のスクリュー羽根が形成される態様となっている。そしてスクリューシャフト１４ｃに、筒状体１４ｄと筒状体１４ｅを交互に複数嵌め込んでいくことでスクリューコンベアを形成するものである。
【００３３】
図３に示すように請求項２記載の吸い殻自動回収装置においては、スクリュー羽根１０ａの搬送側端部Ａ及びスクリュー羽根１０ｂの搬送側端部Ｂを湾曲形状としてある。ここに搬送側端部Ｂとはスクリュー羽根１０ｂ自体の搬送方向側端部という意味である。
【００３４】
図中Ａの部分がスクリュー羽根１０ａの端部を湾曲形状とした部分であり、図中Ｂの部分がスクリュー羽根１０ｂの端部を湾曲形状とした部分である。
【図面の簡単な説明】
【００３５】
【図１】本発明の概略構成図。
【図２】紙おしぼりをほどいていく状態を示す説明図。
【図３】本発明に係るスクリュー部材を示す斜視図。
【図５】スクリューコンベアを用いた吸い殻自動回収装置を設けた遊技機群の斜視図。
【図４】ａ  スクリュー部材の端部付近を示す正面図。
【００３６】
ｂ  同右側面図。
【図６】テーブルとスクリューコンベアの関係を示す説明図。
【図７】テーブルとスクリューコンベアの関係を示す説明図。
【図８】紙おしぼりがスクリューシャフトに巻き付いた状態を示す説明図。
【図９】スクリューコンベアの一態様を示す説明図。
【符号の説明】
【００３７】
１０・・スクリューコンベア
１０ａ，１０ｂ・・スクリュー羽根
１１・・円盤
【図１】
2007044294.tif 000003
【図２】
2007044294.tif 000004
【図３】
2007044294.tif 000005
【図４】
2007044294.tif 000006
【図５】
2007044294.tif 000007
【図６】
2007044294.tif 000008
【図７】
2007044294.tif 000009
【図８】
2007044294.tif 000010
【図９】
2007044294.tif 000011